(57)【要約】【課題】ドレン水の蒸発効率を向上させることができるとともに、排水管への外気の侵入を防止することの可能なドレン水蒸発装置を提供する。【解決手段】排水管３ｂから排出されたドレン水Ａを受容するとともに、流出部６１ａを排水管３ｂの下端側より高い位置に有する上溜水容器６１と、上溜水容器６１の流出部６１ａから流出したドレン水Ａを受容して各蒸発板６４の上部に流出する下溜水容器６２とを備え、下溜水容器６２の流出部６２ａをドレン水Ａが各蒸発板６４の幅方向（Ｘ方向）に亘って流出するように形成したので、ドレン水Ａを各蒸発板６４の上部から幅方向に亘って吸収することができ、各蒸発板６４の吸い上げ力が低下することがない。従って、ドレン水Ａの蒸発効率を向上させることができる。また、排水管３ｂの下端側に外気が侵入することがないので、例えば通風路３内の空気に臭気が混入することを確実に防止することができる。【選択図】図３
2007333248.tif 000002
【特許請求の範囲】
【請求項１】
ドレン水を受容する蒸発皿と、蒸発皿の内部に蒸発皿の幅方向に亘って形成され、蒸発皿内のドレン水を吸収して蒸発させる蒸発部材とを備え、排水管から排出されたドレン水を蒸発させるドレン水蒸発装置において、
前記排水管から排出されたドレン水を受容するとともに、ドレン水の流出部を排水管の下端側より高い位置に有する第１の容器と、
第１の容器の流出部から流出したドレン水を受容して蒸発部材の上部に流出する第２の容器とを備え、
第２の容器におけるドレン水の流出部をドレン水が蒸発部材の幅方向に亘って流出するように形成した
ことを特徴とするドレン水蒸発装置。
【請求項２】
前記第２の容器の流出部を蒸発部材の幅方向に亘って幅広に形成した
ことを特徴とする請求項１記載のドレン水蒸発装置。
【請求項３】
前記第２の容器の流出部を蒸発部材の幅方向に配列された複数の排水孔によって形成した
ことを特徴とする請求項１記載のドレン水蒸発装置。
【請求項４】
前記第２の容器の流出部を、第２の容器の側壁のうち蒸発皿側の側壁を他の側壁よりも低くすることにより形成した
ことを特徴とする請求項１または２記載のドレン水蒸発装置。
【請求項５】
前記第１の容器を、第２の容器よりも容積を小さく形成した
ことを特徴とする請求項１、２、３または４記載のドレン水蒸発装置。
【請求項６】
前記第２の容器の流出部の幅を少なくとも蒸発部材と同等の幅に形成した
ことを特徴とする請求項１、２、３、４または５記載のドレン水蒸発装置。
【発明の詳細な説明】
【技術分野】
【０００１】
本発明は、例えばスーパーマーケットやコンビニエンスストアにおいて商品陳列に使用されるショーケースに備えられるドレン水蒸発装置に関するものである。
【背景技術】
【０００２】
従来、この種のドレン水蒸発装置として、ドレン水を受容する蒸発皿と、蒸発皿の内部に蒸発皿の幅方向に亘って形成され、蒸発皿内のドレン水を吸収して蒸発させる蒸発部材とを備えたものが知られている（例えば特許文献１参照）。
【０００３】
このドレン水蒸発装置は、通風路に設けられた冷却装置により発生したドレン水が排水管から排出されると、排水管の下方に設けられた蒸発皿がドレン水を受容し、蒸発部材が蒸発皿内のドレン水を蒸発部材の上部まで吸収して蒸発させるようになっている。
【特許文献１】特開平４−２９２７７１号公報
【発明の開示】
【発明が解決しようとする課題】
【０００４】
しかしながら、前記従来例では、蒸発部材が蒸発皿内のドレン水を吸い上げるようにしているので、蒸発部材の吸い上げ力が低下することによりドレン水を効率よく蒸発させることができないという問題点があった。
【０００５】
また、排水管と蒸発皿との間に空隙が形成されているので、蒸発皿側で発生した臭気が排水管を介して通風路に侵入し、通風路内の空気に臭気が混入するという問題点があった。
【０００６】
本発明は前記問題点に鑑みてなされたものであり、その目的とするところは、ドレン水の蒸発効率を向上させることができるとともに、排水管への外気の侵入を防止することの可能なドレン水蒸発装置を提供することにある。
【課題を解決するための手段】
【０００７】
本発明は、前記目的を達成するために、ドレン水を受容する蒸発皿と、蒸発皿の内部に蒸発皿の幅方向に亘って形成され、蒸発皿内のドレン水を吸収して蒸発させる蒸発部材とを備え、排水管から排出されたドレン水を蒸発させるドレン水蒸発装置において、前記排水管から排出されたドレン水を受容するとともに、ドレン水の流出部を排水管の下端側より高い位置に有する第１の容器と、第１の容器の流出部から流出したドレン水を受容して蒸発部材の上部に流出する第２の容器とを備え、第２の容器におけるドレン水の流出部をドレン水が蒸発部材の幅方向に亘って流出するように形成している。
【０００８】
これにより、第２の容器から流出したドレン水が蒸発部材の上部において蒸発部材の幅方向に亘って流出することから、ドレン水が蒸発部材の上部から幅方向に亘って吸収される。また、ドレン水を蒸発部材の幅方向に亘って流出するように形成したことにより、蒸発部材の上部の一部のみにドレン水が流出する場合と比較してドレン水と蒸発部材との接触面積が大きくなる。さらに、第１の容器内のドレン水が排水管の下端側より高い位置まで溜められることから、排水管の下端側に外気が侵入することがない。
【発明の効果】
【０００９】
本発明によれば、ドレン水を蒸発部材の上部から幅方向に亘って吸収することができるので、蒸発部材がドレン水を吸い上げる必要がない。また、蒸発部材の上部の一部のみにドレン水が流出する場合と比較してドレン水と蒸発部材との接触面積を大きくすることができる。従って、蒸発部材の吸い上げ力が低下することがなく、且つ蒸発部材の上部において吸収されるドレン水の割合を高めることができるので、ドレン水の蒸発効率を向上させることができる。また、排水管の下端側に外気が侵入することがないので、例えば通風路内の空気に臭気が混入することを確実に防止することができる。
【発明を実施するための最良の形態】
【００１０】
図１乃至図９は本発明の一実施形態を示すもので、図１はショーケースの斜視図、図２はショーケースの側面断面図、図３はドレン水蒸発装置の側面断面図、図４はドレン水蒸発装置の斜視図、図５乃至図９は実施形態の変形例を示す斜視図である。
【００１１】
このショーケースは、図１及び図２に示すように、前面を開口したショーケース本体１と、ショーケース本体１内に取付けられた上下複数段の商品棚２と、ショーケース本体１内の底面側、背面側及び上面側に沿って形成された通風路３と、通風路３内に配置された冷却器４と、底面側通風路３の下方に設けられた機械室５と、機械室５内に配置されたドレン水蒸発装置６とを備え、ショーケース本体１の前面開口部の下端側に設けた空気吸入口１ａから通風路３内に吸入した空気を冷却器４によって冷却し、ショーケース本体１の前面開口部の上端側に設けた空気吐出口１ｂから吐出するようになっている。
【００１２】
ショーケース本体１は、その上面側、背面側、底面側及び前面側の下部を覆う断熱壁７と、上面側断熱壁７の下方を覆う上面板８と、背面側断熱壁７の前方を覆う背面板９と、底面側断熱壁７の上方を覆う底板１０とからなり、断熱壁７と、上面板８、背面板９及び底板１０との間に前記通風路３を形成している。また、ショーケース本体１の両側面には透過板１１が設けられており、各透過板１１、上面板８、背面板９及び底板１０によって囲まれた商品収納部１ｃが設けられている。
【００１３】
各商品棚２は、背面板９の左右に設けられた支柱（図示省略）と、支柱に取付けられたブラケット（図示省略）を介して支持され、ショーケース本体１の前面開口部より収納される商品を陳列するようになっている。
【００１４】
通風路３はその下部に送風機３ａを収容し、その背面側には冷却器４が備えられている。また、その底面側には底面側断熱壁７を下方に貫通するドレン水排水管３ｂが備えられ、冷却器４により発生するドレン水は、ドレン水排水管３ｂの上端側に流入すると、機械室５内のドレン水蒸発装置６に案内される。
【００１５】
機械室５は、ドレン水蒸発装置６、凝縮器用の送風機１２、凝縮器１３、圧縮機１４を備え、送風機１２、凝縮器１３及び圧縮機１４は機械室５の底面に固定されている。また、送風機１２によって空気をドレン水蒸発装置６側に案内するようになっている。
【００１６】
ドレン水蒸発装置６は、図３に示すように、排水管３ｂから排出されたドレン水Ａを受容する第１の容器としての上溜水容器６１と、上溜水容器６１から流出したドレン水Ａを受容する第２の容器としての下溜水容器６２と、下溜水容器６２から流出したドレン水Ａを受容する蒸発皿６３と、蒸発皿６３内のドレン水Ａを吸収して蒸発させる蒸発部材としての複数の蒸発板６４とから構成されている。
【００１７】
上溜水容器６１は、上面が開口した箱型形状をなし、底面から所定高さ位置の側面にドレン水Ａの流出部６１ａを有している。上溜水容器６１は、底面断熱壁７の下面に着脱可能に設けられており、前記断熱壁７の下面に取付けたときには排水管３ｂの下端側が内部のほぼ中央に位置するようになっている。この場合、排水管３ｂの下端側は、上溜水容器６１の底面よりも高く、且つ流出部６１ａよりも低く配置される。また、流出部６１ａには、上溜水容器６１の外部に向かって下方に傾斜する案内片６１ｂが設けられており、案内片６１ｂは、流出部６１ａから流出したドレン水Ａを斜め下方に案内するようになっている。
【００１８】
下溜水容器６２は、上面が開口し、且つ上溜水容器６１よりも容積の大きい箱型形状をなし、上面開口部が上溜水容器６１の案内片６１ｂの下方に位置するように設けられている。また、下溜水容器６２は、底面断熱壁７の下面から下方に延びる支持部材（図示省略）により着脱可能に支持されており、清掃時に取り外すことが可能になっている。下溜水容器６２には、底面から所定高さ位置の側面にドレン水Ａの流出部６２ａを有しており、流出部６２ａは、下溜水容器６２の側壁のうち蒸発皿６３側の側壁を他の側壁よりも低くすることにより形成されている。また、流出部６２ａは、図４に示すように、幅方向（図中Ｘ方向）に亘って幅広になるように形成されており、本実施形態では、流出部６２ａの幅寸法をＷに設定している。さらに、流出部６２ａには、下溜水容器６２の外部に向かって下方に傾斜する案内片６２ｂが設けられており、案内片６２ｂは、流出部６２ａから流出したドレン水Ａを斜め下方に案内するようになっている。
【００１９】
蒸発皿６３は、上面が開口し、且つ幅方向（図中Ｘ方向）に延びる箱型形状をなし、上面開口部が下溜水容器６２の案内片６２ｂの下方に位置するように設けられている。また、蒸発皿６３は、その内部に各蒸発板６４を配置可能に形成されている。
【００２０】
各蒸発板６４は、毛細管作用を有する物質を四角形の平板状に形成したものであり、例えばポリエステル繊維等の不織布を基材とし、この基材に微粒子のフェノールを熱硬化させて固着剤とし、さらに親水性を付与してアルコール系の溶剤に浸した後、乾燥させたものが用いられる。また、各蒸発板６４は、下端側が蒸発皿６３の底面に接触するとともに、上端側が下溜水容器６２の案内片６２ｂの下方に位置するように蒸発皿６３の幅方向（図中Ｘ方向）に亘って互いに所定間隔をおいて略鉛直に並設されており、本実施形態では、各蒸発板６４の配列幅（フィン幅）をＷに設定している。
【００２１】
以上のように構成されたショーケースにおいては、通風路３内の冷却器４で発生したドレン水Ａが排水管３ｂを介して上溜水容器６１に流出する。そして、上溜水容器６１内のドレン水Ａは、その水位が上昇して流出部６１ａの高さ位置まで達すると、案内片６１ｂに沿って下溜水容器６２に流出する。この場合、排水管３ｂの下端側はドレン水Ａによって封じられている。次に、下溜水容器６２内のドレン水Ａは、その水位が上昇して流出部６２ａの高さ位置まで達すると、案内片６２ｂに沿って各蒸発板６４の上部に流出する。この場合、各蒸発板６４の上部に落下したドレン水Ａは各蒸発板６４により吸収され、各蒸発板６４の上部において送風機１２の空気により蒸発する。また、各蒸発板６４の上部に落下することなく蒸発皿６３内に流出したドレン水Ａは、各蒸発板６４の毛細管作用により各蒸発板６４の上部まで吸い上げられた後に蒸発する。
【００２２】
このように、本実施形態のドレン水蒸発装置６によれば、排水管３ｂから排出されたドレン水Ａを受容するとともに、流出部６１ａを排水管３ｂの下端側より高い位置に有する上溜水容器６１と、上溜水容器６１の流出部６１ａから流出したドレン水Ａを受容して各蒸発板６４の上部に流出する下溜水容器６２とを備え、下溜水容器６２の流出部６２ａをドレン水Ａが各蒸発板６４の幅方向（Ｘ方向）に亘って流出するように形成したので、ドレン水Ａを各蒸発板６４の上部から幅方向に亘って吸収することができ、各蒸発板６４がドレン水Ａを吸い上げる必要がない。また、ドレン水を蒸発部材の幅方向に亘って流出するように形成したことにより、蒸発部材の上部の一部のみにドレン水が流出する場合と比較してドレン水と蒸発部材との接触面積を大きくすることができる。従って、各蒸発板６４の吸い上げ力が低下することがなく、且つ蒸発部材の上部において吸収されるドレン水の割合を高めることができるので、ドレン水Ａの蒸発効率を向上させることができる。また、排水管３ｂの下端側に外気が侵入することがないので、例えば通風路３内の空気に臭気が混入することを確実に防止することができる。
【００２３】
また、下溜水容器６２の流出部６２ａを各蒸発板６４の幅方向に亘って幅広に形成したので、ドレン水Ａを幅広の状態で流出させることができ、ドレン水Ａを各蒸発板６４の上部に確実に落下させることができる。
【００２４】
さらに、下溜水容器６２の流出部６２ａを、下溜水容器６２の側壁のうち蒸発皿６３側の側壁を他の側壁よりも低くすることにより形成したので、ドレン水Ａの水位が流出部６２ａの高さ位置に達するまでドレン水Ａを溜めることができ、例えば上溜水容器６１から大量のドレン水Ａが流出した場合でも、蒸発皿６３へのドレン水Ａの流出量を減少させることができる。
【００２５】
また、上溜水容器６１を、下溜水容器６２よりも容積を小さく形成したので、排水管３ｂの下端側をドレン水Ａで封じた後にドレン水Ａを蒸発させることができ、蒸発したドレン水Ａに含まれる臭気が排水管３ｂを介して通風路３内に侵入することを確実に防止することができる。
【００２６】
さらに、下溜水容器６２の流出部６２ａの幅を少なくとも各蒸発板６４の配列幅と同等の幅に形成したので、下溜水容器６２のドレン水Ａを各蒸発板６４のそれぞれの上部に流出させることができ、ドレン水Ａの蒸発効率をより向上させることができる。
【００２７】
なお、前記実施形態では、一つの排水管３ｂから排出されたドレン水Ａを蒸発させるようにしたものを示したが、図５に示すように複数の排水管３ｂから排出されたドレン水Ａを蒸発させるようにしてもよい。この場合、各排水管３ｂのそれぞれに上溜水容器６１を設け、各溜水容器６１から流出したドレン水Ａを下溜水容器６２に受容するようにしたので、排水管３ｂの数を増加させた場合でも前記実施形態と同様の作用効果を奏することができる。
【００２８】
また、前記実施形態では、下溜水容器６２を箱状に形成したものを示したが、図６に示すように、上溜水容器６１の案内片６１ｂの下方まで延びる断面凹型形状の導水部６２ｃを下溜水容器６２の側壁の上端に設けてもよい。また図７に示すように、導水部６２ｃを、上溜水容器６１からのドレン水Ａの流出方向に応じて屈曲するように形成してもよい。
【００２９】
さらに、前記実施形態では、流出部６２ａを下溜水容器６２の側壁に形成したものを示したが、流出部６２ａを、図８に示すように下溜水容器６２の底面を貫通する複数の排水孔６２ｄにより形成してもよい。この場合、各排水孔６２ｄは、それぞれ対応する蒸発板６４の上方に位置するように設けられ、その配列幅は各蒸発板６４の配列幅と同様にＷに設定されている。これにより、下溜水容器６２から流出したドレン水Ａが常に各蒸発板６４の上部に落下するので、各蒸発板６４の上部において吸収されるドレン水Ａの割合を高めることができ、ドレン水Ａの蒸発効率をより向上させることができる。
【００３０】
さらに、前記実施形態では、蒸発皿６３及び各蒸発板６４を一組用いたものを示したが、蒸発皿６３及び各蒸発板６４を複数組設けるようにしてもよい。例えば図９に示すように、下溜水容器６２の幅方向両端側には、それぞれ幅方向に延びる複数の排水孔６２ｄが設けられており、幅方向中央部には、下溜水容器６１の内部を幅方向一端側と他端側に分断するように上方に突出する突出部６２ｅが、上溜水容器６１の案内片６１ｂの下方に位置するように設けられている。また、下溜水容器６２の幅方向一端側及び他端側の各排水孔６２ｄの下方には、それぞれ蒸発皿６３及び各蒸発板６４が設けられている。この場合、上溜水容器６１から流出したドレン水Ａは、突出部６２ｅによって幅方向一端側及び他端側に分かれて流れ、各排水孔６２ｄを介して各蒸発板６４の上部に流出する。これにより、各蒸発皿６３へのドレン水Ａの流入量が蒸発皿６３及び各蒸発板６４を一組用いた場合と比較して減少するので、ドレン水Ａが蒸発皿６３から溢れるおそれが極めて少なくなるという利点がある。
【００３１】
また、前記実施形態では、ドレン水蒸発装置６を備えたショーケースについて説明したが、前記ドレン水蒸発装置６を冷蔵庫に適用することも可能である。
【００３２】
さらに、前記実施形態では、蒸発部材として複数の蒸発板６４を用いたものを示したが、他の例として１枚の蒸発板６４を蒸発皿６３の前後方向に折り曲げながら蒸発皿６３の幅方向に延びるように形成したものを用いてもよい。
【００３３】
また、前記実施形態では、上溜水容器６１から流出したドレン水Ａを下溜水容器６２に受容するようにしたものを示したが、上溜水容器６１と下溜水容器６２との間に複数の溜水容器を設け、上溜水容器６１から流出したドレン水Ａが各溜水容器を介して下溜水容器６２に受容されるように構成してもよい。
【図面の簡単な説明】
【００３４】
【図１】本発明の一実施形態を示すショーケースの斜視図
【図２】ショーケースの側面断面図
【図３】ドレン水蒸発装置の側面断面図
【図４】ドレン水蒸発装置の斜視図
【図５】実施形態の変形例を示す斜視図
【図６】実施形態の変形例を示す斜視図
【図７】実施形態の変形例を示す斜視図
【図８】実施形態の変形例を示す斜視図
【図９】実施形態の変形例を示す斜視図
【符号の説明】
【００３５】
３ｂ…排水管、６…ドレン水蒸発装置、６１…上溜水容器、６１ａ…流出部、６２…下溜水容器、６２ａ…流出部、６２ｄ…複数の排水孔、６３…蒸発皿、６４…複数の蒸発板、Ａ…ドレン水。
【図１】
2007333248.tif 000003
【図２】
2007333248.tif 000004
【図３】
2007333248.tif 000005
【図４】
2007333248.tif 000006
【図５】
2007333248.tif 000007
【図６】
2007333248.tif 000008
【図７】
2007333248.tif 000009
【図８】
2007333248.tif 000010
【図９】
2007333248.tif 000011